(57)【要約】      （修正有）【課題】安全、防災、盗難防止に貢献する傘を提供する。【解決手段】傘本体の心棒と、傘の柄を取り外し可能にする。傘の柄の取り外しの仕組みは、従来の傘の開閉の仕組みと同じであるが、さらにそれに開閉式ロックの仕組みを加えている。それは、傘の柄を差し込むと、傘の開閉がスムーズにできるようになるが、傘の柄を外すと、自動的にロックが掛かり、傘の開閉ができなくなってしまう。それゆえに盗難防止になるし、そもそも柄のない傘は盗りにくいものである、柄のない傘をさしていたら、人の傘を盗ったことがすぐに分かってしまうので、いままで以上に傘を盗まれにくくなる。また、傘の柄の下の部分に電池式のライトを作ることで、雨天の歩行時の安全に役立ち、傘の柄を外すことで懐中電気の代わりになり、災害時の安全や、暗いなかで明りがほしい時などに役立つことができる。【選択図】図１
2014018645.tif 000002
【特許請求の範囲】
【請求項１】
本発明は、傘を持つところの柄の下の３センチぐらいの部分を３６０度、透明な、素材で出来た全方向を照らすライトを付けたことにより、雨天時の視界の悪い時に、自動車などに歩行者の存在を示すことができ、事故を未然に防ぐ事故防止になる。
【請求項２】
本発明は、傘を持つ柄を外せるようにしたことによって、盗難防止になる。柄のない傘を持つことは、他の人の傘を持っているということになるので、そういう傘は盗みにくいし、柄のない傘は、感触的にも持ちにくいので盗られにくい。
【請求項３】
本発明は、傘本体の心棒の部分と、傘を持つ柄の部分の結合部分を様々な形にすることによって、つまり、合鍵のようにして組み合させのバリエーションを増やすことによって、１つ１つの傘のオリジナル性が高くなり、他の人の傘と間違うことがなくなる。それがまた、盗難防止にも役立つ。
【請求項４】
本発明は、ライト機能と、傘の柄の取り外し機能によって、災害時や、明りがほしい時など懐中電気として、傘の柄が役に立つ。
【請求項５】
本発明は、傘の柄の部分を、傘本体の心棒から外すと、傘の開閉のボタンがロックされ傘の開閉が出来なくなり、傘の柄の部分を、傘本体の心棒に差し込むと、傘の開閉が自由にできるようになる、傘の開閉式ロックの仕組み。
【請求項６】
本発明は、傘の柄の部分の取り外しを可能にしたことと、柄の部分のライト機能を組み合わせたことにより、安全と、防災と、盗難防止の３つに役立つことが可能となった。
【発明の詳細な説明】
【技術分野】
【０００１】この発明は、傘を持つ柄の部分を取り外し可能にしたことと、ライト機能を組み合わせたもので、傘の盗難防止と、雨天時の安全と、災害時の安全に役立つために考えられた、安全と盗難防止の機能に関する。
【背景技術】
【０００２】現代までに考えられていたものは、傘は消耗品と考えて、安い使い捨てのような傘、または、そこそこ丈夫な中級品としての傘、さらに強風に強い壊れない傘などがある。また、傘の形としても様々なデザインのものがある。しかし、いずれの傘もその目的は、雨から人を濡れないようにするというもので、その目的以上の役目はないものが主流である。雨天の日に安全を守るための傘、災害時に懐中電灯機能を果たす傘、盗難防止を目的とした傘、さらに、それら３つを組み合わせた傘ともなると皆無である。【０００３】今の日本は高齢者が多くなってきている。また、災害の規模も回数も昔にくらべて桁違いに大きく、多くなっている。さらに、盗難事件も年々増えている。本発明ですべてが解決するわけではないが、多くの人の、安全、防災、盗難防止の一助になればと思う。現代は、このような要望にこたえる商品の出現が待たれていた。
【発明の開示】
【発明が解決しようとする課題】
【０００４】この発明は、上述のような事情に鑑みて創案されたもので、安全、防災、盗難防止に役立つことを目的としている。
【課題を解決するための手段】
【０００５】この発明は、傘を持つところの柄の部分の取り外し機能と、柄の下の部分のライト機能を組み合わせたことにより、請求項６に記載したように、安全、防災、盗難防止の３つに貢献できるようにしたのが特徴である。【０００６】従来の傘と違うところは、傘を持つ柄の下の３センチぐらいの部分に３６０度、透明な素材で出来た全方向を照らすライト機能が付いていることで、雨天で視界の悪い日に、ライトが点いていることで自動車などから歩行者の存在が容易に発見でき、歩行者の安全に役に立つことができる。特に高齢者は耳が遠くなり、運動神経も鈍くなるので、自分の存在を示すことは事故防止に役立つ。また、高齢者自身が自動車の運転をしていることも多いので、歩行者は視界の悪い雨天の日などは、このような傘をさすとより安全である。【０００７】傘の柄の部分を取り外し可能にしたことによって、出先で傘を置いて用事や、仕事をしている時などに、傘の柄を外していると、傘の盗難にあいにくい。柄のない傘は使いにくいので盗られにくくなる。また、こういう傘が一般に知れ渡ると、柄のない傘を持っていることは、人の傘をさしているということになるので盗られにくくなる。また、用事などが終わり、帰るときに雨が上がっていても、手もとに傘の柄があると、傘を忘れずに持って帰ることができ傘忘れ防止にも役立つ。【０００８】傘本体の心棒と、傘の柄の部分の結合部分を、多様な形にすることによって、１つ１つの傘をオリジナル性の高いものにできる。つまり、結合部分を合鍵風にするのである。その作り方としては、結合部分の形のみを、たとえば、楕円形、三角形、四角形、五角形、六角形、八角形にし、その大きさを三段階ぐらいに分ける。また、途中まで四角形で途中から五角形にしてという感じで作り、それできっちり合うようにする。様々な工夫をすることで、数多くの合鍵パターンができると思う。それによって、自分の傘を探すとき、人の傘と開違うことがなくなる。また、そのような仕組みのあることが盗難防止にもさらに役に立つ。【０００９】傘の柄の取り外し機能と、傘の柄のライト機能によって、災害時の時など傘の本体から柄を外せば、そのまま懐中電気として使うことができる。普段からこういう傘を用意しておくことも防災には必要なことだと思う。また、自分が困っていることを他の人に知らせるのに、ライトに点滅機能も付けておく必要がある。また、音が出る機能もあってもよい。この懐中電気の機能は、災害時だけではなく、普段でも役に立つ便利なものである。また、懐中電気としての機能を重視する場合は、懐中電気用の作り方をしてもよいと思う。いずれにしても、電気系なので水に強いものにしなくてはならない。【００１０】［図４］の、Ｐの幅の意味は、傘の柄の部分を差し込んだときに、外れないための引っかかりの機能を果たしながらも、［図２］のＩの幅より、Ｐの幅を狭めることによって、引っかかりの部分が外に多く出るのを防ぎ、それによって、傘の開閉式ロックの仕組みの本体（Ｅ）をＫの方向にずらし、ずらすことによって傘の開閉のロックをする部分（Ｊ）を外すためのもの。つまり、傘の柄を本体に差し込んだら、傘の開閉がスムーズにできるようになり、傘の柄を外したら、自動的に傘の開閉ができなくなるための仕組み。それによって、さらに盗難防止に役立つものとなる。仕組みとしては、この仕組み以外にも様々な仕組みが考えられる。要は、傘の柄の部分を差し込めば、傘の開閉のロックが解除され、傘の柄の部分を外すと、ロックが掛かる仕組みを可能とすればよい。【００１１】傘の柄の取り外し機能と、傘の柄のライト機能を組み合わせたことによって、安全と、防災と、盗難防止の３つのテーマに同時に役立つことができる。
【発明を実施するための形態】
【００１２】雨の日にこの傘をさして買い物に行く場合、スーパーについたら、スーパーの傘置き場に傘を置いてワンタッチで傘の柄を外すし、その柄を買い物かごの中に入れてもいいし、柄の部分にヒモをつけておいて手に引っ掛けてもよい。買い物が終わって帰ろうと思ったときに、自分の傘がなくなっていた、なんてことを経験した人は多いと思う。しかし、この傘は、盗る側の心理からみても盗りにくいので、傘がなくなったという心配は少なくなる。盗られるにしても一番最後になると思うので、盗難の確率は低くなる。そして、買い物の帰りにふたたび、自分の傘に柄を差し込み、傘を広げて帰っていく。また、帰るときに雨があがっていても、傘の柄を持っているので、傘を忘れる確率も少なくなる。また、帰りの夕方の時間、薄暗くなっている場合には、ライトを点けるとより安全になる。また、サラリーマンが雨の日の暗いなかで、ノートや手帳を見たいときなどは便利である。
【００１３】万が一の災害の場合に備えて、災害用グッズを用意しておくなら、この傘も入れておくべきだと思う。しかし、災害用グッズなど用意していないことの方が多いと思う。とっさに逃げなければならない時、雨が降っていれば傘を持つこともあろうが、雨が降っていなければ、傘を持つこともないと思われる。しかし、この傘のことが常日頃から頭に入っていれば、傘そのものは、玄関あたりに置いてあるものだし、逃げる途中に懐中電気がわりに、この傘を掴んで逃げる可能性はある。その意味では、普段からこの傘になじんでおく必要がある。また、車のなかなどに常備しておけば、山間部で車が故障したとしても、この傘があれば懐中電気がわりになるし、自分が困っていることを、点滅信号で他に知らせることもできる。
【００１４】普段の雨の日の安全や便利に役立ち、盗難に会いにくい傘である。また、万が一の場合に役に立つ傘である。常日頃から使い、また常備をしておきたい傘である。
【００１５】この傘の柄の部分の素材は、強化プラスチックなどの強さのあるものがよいと思う。また、合鍵風に作る［図１］のＢの部分と［図４］のＰの部分の引っかかりを作るところは、強度の強さがいる部分なので、傘の心棒と同じ金属性のものがよいと思う。
【発明の効果】
【００１６】この傘を使うことで、雨の日の特に暗い時など、手もとに明りを灯すことで、自動車などに歩行者の存在を示せるので、交通事故の危険性から身を守ることができる。また、出先で傘を置いていても、傘の柄を外せるので傘の盗難に合いにくし、柄を手もとに持っているので帰るときに、傘をわすれる可能性が少なくなる。さらに懐中電気としても使えるので、災害時のみならず、普段でも便利である。
【図面の簡単な説明】
【図１】  傘の柄の部分のみの外観図
【図２】  傘本体の心棒の中の、傘の開閉式ロックの仕組みの断面図
【図３】  ［図２］を横から見た図
【図４】  傘の柄の部分の断面図
【符号の説明】Ａ，  傘を持つところ、柄の部分を取り外した図
Ｂ，  傘の心棒を入れる穴
Ｃ、  明りをとうす透明な容器の部分、下の３センチぐらいが３６０度透明
Ｄ，  ワンタッチの取り外しボタン
Ｅ，  傘の開閉式ロックの仕組みの本体
Ｆ，  従来の傘の開閉に用いられる金属の部分
Ｇ，  従来の傘の開閉に用いられる金属を、傘の開閉式ロックの構造に変えた部分
Ｈ，  傘の心棒の部分
Ｉ，  引っかかりの部分が出るための幅
Ｊ，  ロックをする部分
Ｋ，  傘の開閉式ロックの本体（Ｅ）が、Ｋの方向に動くこと
Ｌ，  ［図１］のＢが、Ｌの矢印の方向から入るということを示すもの
Ｍ，  傘の柄が外れないための、引っかかりの部分
Ｎ，  傘の開閉のためのボタン
Ｏ，  Ｏの矢印の方向から、傘の開閉のための（Ｎ）が下りてくることを示すもの
Ｐ，  Ｐの幅の意味は、傘の柄の部分を差し込んだときに、外れないための引っかかりの機能を果たしながらも、［図２］のＩの幅より、Ｐの幅を狭めることによって、傘の開閉式ロックの仕組みの本体（Ｅ）をＫの方向にずらし、ずらすことによって傘の開閉のロックをする部分（Ｊ）を外すためのもの。つまり、傘の柄を本体に差し込んだら、傘の開閉がスムーズにできるようになり、傘の柄を外したら、自動的に傘の開閉ができなくなるための仕組み。
Ｑ，  傘の柄をワンタッチで外すためのボタン
Ｒ，  ボタンを元にもどすためのバネ
Ｓ，  電池
Ｔ，  電球
Ｕ，  電池を取り換えるときの、開閉の部分
【図１】
2014018645.tif 000003
【図２】
2014018645.tif 000004
【図３】
2014018645.tif 000005
【図４】
2014018645.tif 000006